(57)【特許請求の範囲】
【請求項１】
荷物の往復配送に使用することができる配送伝票であって、往路用の宛て先等の情報を記録する複数枚紙葉からなる伝票体と、当該伝票体の最下面にあって伝票貼着用の粘着剤を保護する剥離紙を有し、当該剥離紙には、復路用の宛て先等が複写されて記録される復路用カードが設けられていることを特徴とする配送伝票。
【請求項２】
復路用カードが疑似接着した２層の薄層プラスチックフィルムと剥離紙の３層積層体からなり剥離紙に設けたハーフカット線により剥離紙から切り取りできるように構成されていることを特徴とする請求項１記載の配送伝票。
【発明の詳細な説明】
【０００１】
【発明の属する技術分野】
本発明は配送伝票に関し、特に、同一人による実質的に同一荷物が同一箇所間で往復して配送される配送荷物に対して使用する配送伝票であって、その配送伝票の剥離紙部分に戻り用の配送カードとして使えるカードが形成される構成を有する配送伝票に関する。
【０００２】
【従来技術】
従来、レジャー用の荷物の様な場合には、送った荷物が短期間の内に同一人のところに戻る場合であっても、往復ともに新しい配送伝票を発票する必要があった。このため、ほとんど同一内容の事項を繰り返して伝票に記入する手間が必要であったり、伝票を多く使用するという問題があった。
また、従来からの配送伝票は基本的に送り用途のみに考えられており、本発明のように往復配送を目的とするものは見出されない。
【０００３】
【発明が解決しようとする課題】
そこで、本発明では「送り」用の伝票の剥離紙部分に「戻り」用の荷物の宛先表示となるカード機能を持たせた部分を作り、当該カードを復路用カードとして使うことにより、新しい「戻り」用伝票を発行することを省略して伝票記入の手間や伝票コストを削減しようとするものである。すなわち、本発明は「送り」用の伝票起票により、当該「戻り」用カード部分にも記入されて「戻り」用の伝票に類する媒体として使用できる特徴がある。
【０００４】
【課題を解決するための手段】
上記課題を解決するための本発明の請求項１記載の発明は、荷物の往復配送に使用することができる配送伝票であって、往路用の宛て先等の情報を記録する複数枚紙葉からなる伝票体と、当該伝票体の最下面にあって伝票貼着用の粘着剤を保護する剥離紙を有し、当該剥離紙には、復路用の宛て先等が複写されて記録される復路用カードが設けられていることを特徴とする配送伝票、にある。かかる配送伝票であるため復路用の伝票を兼ねて使用することができる。
【０００５】
請求項２記載の発明は、請求項１記載の配送伝票において復路用カードが疑似接着した２層の薄層プラスチックフィルムと剥離紙の３層積層体からなり剥離紙に設けたハーフカット線により剥離紙から切り取りできるように構成されていることを特徴とする。これにより、剥離紙から切り取った復路用カードを疑似接着部から２層に分離して使うことができる。
【０００７】
【発明の実施の形態】
以下、本発明の実施形態を図面を参照して説明することとする。
図１は、本発明の配送伝票の一実施形態を示す断面図である。図１のように本発明の配送伝票１は、複数枚の紙葉（Ｐ１〜Ｐｎ）の記入用紙が積層されて伝票体を構成している。各紙葉には通常の配送伝票のように、差出人、宛先人の住所・氏名、配送荷物種別等の記載欄が設けられている。また、これら各紙葉（Ｐ１〜Ｐｎ）は、例えば、差出人控え、売上票、配達票、デポ控え、受付票等に使用することができる。最下面の荷物貼付用紙２４は、剥離紙１１との間に粘着剤層２１が設けられ、剥離紙１１を剥がして配送荷物に貼着される。用紙２４は上部の紙葉との間で封筒体を構成する白紙として、その間に配達票や届先控え票等を挿入するようにしてもよいし、荷物貼付用紙２４自体を記入用紙としてもよい。伝票の一方端（図の左側）は糊付けされた綴じ部であり、各紙葉（Ｐ１〜Ｐｎ）の綴じ部からの長さは必要に応じて変えることができる。
【０００８】
本発明の配送伝票１の特徴は、当該剥離紙１１に復路配送に使用することができる復路用カード１０を設けたことにある。復路用カード１０は、疑似接着した２層のプラスチックフィルム１４，１６と剥離紙１１の３層の積層体として構成されている。なお、図１中、２２は伝票紙葉を切り取るためのミシン目、２３は剥離紙を剥離するために予め設けたカット線である。
【０００９】
図２は、本発明の一実施形態における剥離紙を剥離した状態の平面図である。図２（Ａ）は伝票紙葉側からの表面図、図２（Ｂ）は裏面図を示す。剥離紙１１は、カット線２３により右側部分１１Ｒと左側部分１１Ｌに分かれ。通常は剥離した剥離紙は廃棄するので無用のものとなるが、本発明では剥離紙の左側部分１１Ｌ（これはもちろん右側部分１１Ｒであっても良い。）の一部に復路用カード１０が形成されている。
剥離紙表面には感圧自己発色層が設けられていて、配送伝票記入の際の表面から印字圧により発色した複写ができるようにされている。復路用カード１０の場合、配送伝票に記入した差出人に送り返すことが原則となるので、配送伝票１の表面に記載した宛先人が差出人欄となり、差出人が宛先人欄となるように記入欄を設け複写されることになる。１０ｈはハーフカット線であり、剥離紙表面から切り込み線を入れて復路用カード１０の反対面にまでは貫通しないように形成されている。カード１０の所定箇所には必要により穴１０ｐを設け、紐を通して荷物に添付するために利用する。
図２（Ｂ）の裏面図には、受領印を捺印するためのマット層１７が設けられていることが示されている。
【００１０】
図３は、剥離紙に形成された復路用カード部分を拡大して示す断面図である。図３（Ａ）は剥離紙１１とカード１０全体の断面図、図３（Ｂ）は、ハーフカット線１０ｈからカード１０を切り取った状態、図３（Ｃ）は、さらに疑似接着層１５により復路用カードを２層に分離した状態を示している。
図３（Ａ）において、剥離紙１１表面には感圧自己発色層１２が設けられ、反対側裏面には粘着剤層１３を介して２層の薄層プラスチックフィルム１４，１６の積層体が設けられている。プラスチックフィルム１４，１６の間は疑似接着層１５により仮接着している。ハーフカット線１０ｈは、剥離紙１１、接着剤層１３、プラスチックフィルム１４を切断してプラスチックフィルム１６には達しないように形成する。ハーフカット線の形状は図２の平面図に一点鎖線で示すカード形状に設ける。疑似接着層１５は製造方法にもよるが実際には剥離する界面だけを示し、層を構成しない場合も多い。
【００１１】
図３（Ｂ）のように、ハーフカット線１０ｈからカード１０を切り取った状態では、２層の薄層プラスチックフィルム１４，１６は疑似接着した状態のままである。当該配送伝票を実際に使用する際は、配送依頼主または配送店が伝票に所定事項を記入した後、剥離紙を剥離して配送伝票を配送荷物に添付するとともに、剥離紙からは当該復路用カードを切り取り依頼主に手渡す。依頼主は配送荷物を宅配便等で届けるが、自身も通常は配送先に出かけるので、現地の配送店または担当者に当該カードを手渡し復路用カードとして利用する。復路用カードは、あるいは依頼主とは別に配送荷物に添付して送るようにしても良い。
復路荷物に添付する際は、剥離紙の感圧自己発色層１２に記録されている宛先等が表示面となる。配送荷物への添付は前記のように、穴１０ｐに紐を通して直接荷物に吊るすか、透明窓のある専用ケースに入れて荷物に添付することができる。専用ケースを使用する場合は、復路用カードを依頼者に手渡す際に当該ケースに入れて渡せば、カード持ち運び時の擦り傷による自己発色を防止することができ好ましい。
【００１２】
図３（Ｃ）は復路配送荷物を受け取った際に、疑似接着層から剥離する際の状態を示している。この場合、前記のように疑似接着層１５からプラスチックフィルム１４と１６が分離するが、分離した下層部分３０には、筆記や捺印可能にしたマット層１７が設けられていて、復路配送荷物を依頼主が受領した際に捺印または署名をする。当該捺印面には予め必要な所定事項をさらに印刷して設けておくことができる。
【００１３】
剥離紙１１としては、特に限定されるものではないが、一般にクレーコート紙、クラフト紙若しくは上質紙にポリエチレンなどのフィルムをラミネートした紙又は上質紙にポリビニルアルコールやアクリル酸エステル共重合体樹脂等を塗布した紙に、フッソ樹脂やシリコーン樹脂などを塗布し、熱硬化や電離放射線硬化などによって剥離層を設けたものが適宜使用できる。
本発明の剥離紙は感圧自己発色層を設けることが必要なため、剥離層形成前に発色層を設けておく必要がある。感圧自己発色層としてはマイクロカプセル化した顕色剤と発色剤とを２層に塗布したものあるいは混合して１層に塗布したもの等が使用でき、いずれも一般的に使用されている材料である。
【００１４】
マット層１７は、スタンプインクまたは捺印印肉を吸収し固着し易くした層で、非晶質シリカ、炭酸カルシウム、炭酸マグネシウム等の微粒子粉体を、染料固着剤とともに、ポリビニルアルコールまたはその誘導体からなる高分子化合物、塩酢ビ系樹脂、ポリエステル系樹脂等のバインダーに分散した塗布層であり、グラビアコート、ロールコート等の適宜な手段で塗布して形成する。
【００１５】
プラスチックフィルムを疑似接着する技術は隠蔽用葉書等において常用されている技術である。例えば、上記のフィルム１４およびフィルム１６としては通常、相互間の接着性が低い材質のものが用いられ、例えばポリエチレンテレフタレート（ＰＥＴ）とポリエチレン（ＰＥ）、ポリプロピレン（ＰＰ）とＰＥ、ポリブチレンテレフタレート（ＰＢＴ）とＰＥ、ＰＥＴとＰＰ、ＰＥＴとＰＥＴ、ＰＢＴとＰＰなどオレフィン系樹脂とエステル系樹脂等の組合せが挙げられる。フィルム１４とフィルム１６との間の疑似接着層１５は、例えばＰＥＴ（或いはＰＥ）フィルム１４とＰＥ（或いはＰＥＴ）フィルム１６の間に、一方のフィルムと同じ材質の樹脂、例えばＰＥをエクストルージョンコートしてフィルム１４と１６を積層することによって形成することができる。すなわち、相互に接着性が低いフィルム１４と１６の間に、一方のフィルムと接着性がある樹脂を溶融状態で塗布することにより、溶融樹脂と接着性の低い他方のフィルムとの間に疑似的な接着状態を形成することができる。
本発明の配送伝票の製造には、これらの疑似接着体を予め形成しておき剥離紙にラミネートして使用することになる。
【００１６】
図４は、本発明の他の実施形態における剥離紙を剥離した状態の平面図である。図４（Ａ）は伝票紙葉側からの表面図、図４（Ｂ）は裏面図を示す。この実施形態の場合、署名または捺印欄１０ｓが復路用カード１０の表面側に設けられていて、復路配送荷物を依頼主が受領した際に署名または捺印する。この場合、剥離紙の表面は剥離処理してあるので印肉やインキの受容性はないが、自己発色紙となっているので、押印やサイン時の圧力で発色することができる。従って、裏面に捺印のためのマット層を設ける必要はない。カードの層構成は、図２の場合と同様に疑似接着層を使用しハーフカット線で切り取る構成とすることで、単層でミシン目で切り取る構成のものより美麗なカードとすることができる。カード１０を配送荷物に添付するための紐通し用の穴１０ｐも必要により設ける。
【００１７】
次に、本発明の配送伝票の製造方法について説明する。
本発明の配送伝票に使用する記入用紙葉には一般の帳票印刷に使用する感圧複写用紙が使用できる。例えば、アート紙、コート紙、上質紙、キャストコート紙が使用でき、あるいは筆記性、印刷適性を有する合成紙であってもよい。
このような配送伝票を製造するには、通常の帳票印刷方式により、各枚葉毎の印刷及び横ミシン目入れを行った後、送り孔を有する丁合装置により、各記入用紙を丁合し、糊付け、縦ミシン目入れを行い伝票が連続した巻取体を製造することができる。
【００１８】
剥離紙は前記のようにシリコン樹脂等で剥離処理をした紙で粘着剤から容易に剥離でき、粘着剤層を保護するものである。通常は、記入用紙よりは厚みのある紙厚４０〜１００μｍ、米坪４０〜１００ｇ／ｍ2 程度の用紙を使用する。剥離紙にも紙送り用の送り孔を設けて伝票体との位置合わせを容易にする。
剥離紙とは別に疑似接着したプラスチックフィルム１４，１６を予め準備する。この疑似接着層のフィルム１４は５０μｍ以下の薄層であっても良いが、フィルム１６にマット層を設け受領書として使用する場合には、剥離後にもシート状の形体を維持できることが好ましいので、５０〜２００μｍ程度の厚さであることが好ましい。図４の実施形態の場合のように、フィルム１６を受領書として使用しない場合は、このような厚い層とする必要はない。
【００１９】
疑似接着したプラスチックフィルムを個々のカードサイズに打ち抜いた後、剥離紙１１に位置合わせして粘着剤で貼り合わせる。その後、剥離紙面側から打ち抜き歯により紐とおし用穴１０ｐおよびハーフカット線１０ｈを打ち抜く。ハーフカット線は打ち抜いたプラスチックフィルムのカードサイズよりは内側の線となるようにする。
粘着剤層１３は、剥離紙１１とフィルム１４に対する粘着性を有する粘着剤により形成することができ、このような粘着剤は、エポキシ系、エチレン・アクリル酸共重合体樹脂、ポリ酢酸ビニル系樹脂、ゴム系接着剤等、従来公知の粘着剤の中から適宜選択して使用することができる。
【００２０】
剥離紙１１と疑似接着したプラスチックフィルムの積層体を接着した後、剥離紙の剥離層面に粘着剤を塗布した後、先に準備した伝票紙面を印刷した伝票巻取体に貼着して一体にし、配送伝票が連続して形成された巻き取りを得る。最後にこれを用紙の流れと直角に伝票サイズに裁断して個々の伝票を得る。
【００２１】
本発明の配送伝票の使用方法は既に説明のとおりであるが、「送り」用に伝票を発行する際は、通常の配送伝票発行と異なることはなく、伝票表面から手書きまたはインパクトプリンタ等により記入する。これにより剥離紙に設けた復路用カードに「戻り」用の宛て先が転記される。
この復路用カードを剥離紙から切り取り、依頼主に渡して現地で受け取るか荷物とともに現地に送り、これを戻りの際、荷物に添付する。
【００２２】
【発明の効果】
本発明の配送伝票は、復路用カードが剥離紙に形成されているので、当該カードを「戻り」用荷物の宛て先表示に使用することができる。従って、配送依頼主は「戻り」用の伝票記載の手間が省けるとともに、配送会社としては配送伝票の使用量を減らすことができる。
本発明の配送伝票は、海外向け荷物、レジャー向け荷物の配達や単身赴任者の荷物の配送に利用して便利である。
【図面の簡単な説明】
【図１】  本発明の配送伝票の一実施形態を示す断面図である。
【図２】  本発明の一実施形態における剥離紙を剥離した状態の平面図である。
【図３】  剥離紙に形成された復路用カード部分を拡大して示す断面図である。
【図４】  本発明の他の実施形態における剥離紙を剥離した状態の平面図である。
【符号の説明】
１    配送用伝票
１０    復路用カード
１１    剥離紙
１２    感圧自己発色層
１３    粘着剤層
１４，１６    プラスチックフィルム
１５    疑似接着層
１７    マット層
２０    復路用カードの上層部分
２２    ミシン目
２３    剥離用カット線
２４    荷物貼付用紙
３０    復路用カードの下層部分
【図１】
0003998826.tif 000002
【図２】
0003998826.tif 000003
【図３】
0003998826.tif 000004
【図４】
0003998826.tif 000005